(57)【特許請求の範囲】
【請求項１】
複数のＷｅｂページと、
上記Ｗｅｂページに表示するための情報を蓄積するデータベースと、
上記Ｗｅｂページ上から上記データベースを検索する検索手段とを有し、
上記データベースには、
一定の地域全体の地図とこの地図の余白部に設けた地上距離の目盛り付き座標軸とからなる全域マップ部と、
上記全域マップ部中の地図を複数のブロックに区画し該ブロック単位で拡大した拡大図とこの拡大図の余白部に設けられた地上距離の目盛り付き座標軸とからなる詳細マップ部と、
上記全域マップ部の地図内に存在する施設ごとに、該施設の名称、該施設の所在地を上記座標軸の目盛り読取値からなる地上距離で示した所在地表示、その他の該施設に関する情報を１つにまとめた施設詳細情報とが蓄積され、
上記検索手段は、
上記全域マップ部中の地図内に存在する施設の名称または該施設の属するカテゴリーを検索条件として上記データベースを検索するとともに、その検索条件に該当する施設のリストを作成する機能を備え、
上記複数のＷｅｂページは、
全域マップ表示ページ、詳細マップ表示ページ、および詳細情報表示ページを含み、
上記検索手段での検索の終了後に上記全域マップ表示ページに移行し、この全域マップ表示ページに、上記検索結果のリストと上記データベース内の全域マップ部とが表示されるとともに、この全域マップ部に、上記リスト中の施設の所在地が点滅するポイントで示され、
上記全域マップ表示ページに表示された上記全域マップ部内の一ブロックがクリックされると、上記詳細マップ表示ページに移行し、この詳細マップ表示ページに、クリックされたブロックに対応する上記データベース内の詳細マップ部と上記検索結果のリストとが表示されるとともに、この詳細マップ部に、上記リスト中の施設の所在地が点滅するポイントで示され、
上記全域マップ表示ページに上記検索結果のリストと上記全域マップ部と上記点滅するポイントが表示されるときに、そのリスト中の施設と、この施設の所在地を示す上記点滅するポイントの近傍とに、同一の番号が付され、
上記詳細マップ表示ページに上記検索結果のリストと上記詳細マップ部と上記点滅するポイントが表示されるときに、そのリスト中の施設と、この施設の所在地を示す上記点滅するポイントの近傍とに、同一の番号が付されてなり、
上記全域マップ表示ページまたは上記詳細マップ表示ページに表示された上記リストがクリックされると、上記詳細情報表示ページに移行し、この詳細情報表示ページに、そのリスト中の施設に対応する上記データベース内の施設詳細情報が表示されるとともに、この施設詳細情報の表示は、上記施設の名称に近接して該施設の上記所在地表示が表示される形態を採り、
上記データベースに蓄積された施設が開設するＷｅｂページ内に同施設の住所の表示または“地図を見る”等の表示が設けられ、この住所の表示または“地図を見る”等の表示がクリックされると、その施設が開設するＷｅｂページから上記全域マップ表示ページまたは詳細マップ表示ページに直接移行するとともに、その全域マップ表示ページの全域マップ部または詳細マップ表示ページの詳細マップ部に、同施設の所在地が点滅するポイントで示されること
を特徴とするマップシステム。
【請求項２】
上記複数のＷｅｂページはＴＯＰページを含み、
上記ＴＯＰページから上記全域マップ表示ページへの移行が可能に設けられてなり、
上記ＴＯＰページから上記全域マップ表示ページに移行したとき、この全域マップ表示ページに、上記データベース内の全域マップ部とこの全域マップ部の地域内に存在する施設のリストとが表示されるとともに、この全域マップ部に、上記リスト中の施設の所在地が点滅するポイントで示され、
上記全域マップ表示ページに表示されたリストがクリックされると、上記詳細情報表示ページに移行し、この詳細情報表示ページに、上記リスト中の施設に対応する上記データベース内の施設詳細情報が表示されること
を特徴とする請求項１に記載のマップシステム。
【請求項３】
上記全域マップ表示ページに表示された全域マップ部内の一ブロックがクリックされると、上記詳細マップ表示ページに移行し、この詳細マップ表示ページに、クリックされたブロックに対応する上記データベース内の詳細マップ部と、この詳細マップ部内に存在する施設のリストとが表示されるとともに、この詳細マップ部に、上記リスト中の施設の所在地が点滅するポイントで示され、
上記詳細マップ表示ページに表示されたリストをクリックすると、上記詳細情報表示ページに移行し、かつ、この詳細情報表示ページに、上記リスト中の施設に対応する上記データベース内の施設詳細情報が表示されること
を特徴とする請求項２に記載のマップシステム。
【請求項４】
上記複数のＷｅｂページはＴＯＰページを含み、
上記ＴＯＰページから上記詳細情報表示ページへの移行が可能に設けられてなり、
上記ＴＯＰページから上記詳細情報表示ページへ移行したとき、この詳細情報表示ページに、上記データベース内の施設詳細情報が表示されること
を特徴とする請求項１に記載のマップシステム。
【請求項５】
上記詳細マップ表示ページから上記全域マップ表示ページへの移行が可能に設けられていること
を特徴とする請求項１に記載のマップシステム。
【請求項６】
上記詳細情報表示ページから上記全域マップ表示ページまたは上記詳細マップ表示ページへの移行が可能に設けられていること
を特徴とする請求項１に記載のマップシステム。
【発明の詳細な説明】
【０００１】
【発明の属する技術分野】
本発明は、インターネット上で利用できるマップシステムに関し、特にその使い勝手の向上を図ったものである。
【０００２】
【従来の技術】
従来、この種のマップシステムを使って例えば宿泊施設を調べる場合は、インターネットを介してそのマップシステムのＷｅｂページを開いた後、このＷｅｂページの検索条件入力欄に“宿泊施設”と入力して検索を行う。そうすると、検索の終了後に、その検索結果として該当する宿泊施設のリストが同マップシステムの検索結果表示ページに表示される。このとき、その検索結果表示ページからハイパーリンクで地図の表示ページへ移行すると、そのリスト中の宿泊施設の所在地を示した地図が表示される。
【０００３】
しかしながら、上記のような従来のマップシステムにあっては、検索結果のリストが表示された後に、このリストとは別のページに、そのリスト中の施設の所在地を示す地図が表示されるため、そのリストと地図を見ながらリスト中の宿泊施設の所在地を比較検討するのが面倒であり、使い勝手が悪いという問題点を有している。
【０００４】
【発明が解決しようとする課題】
本発明は上記問題点を解決するためになされたもので、その目的とするところは、複数の施設の所在地を比較検討する場合に便利である等、使い勝手のよいマップシステムを提供することにある。
【０００５】
【課題を解決するための手段】
上記目的を達成するために、本発明は、複数のＷｅｂページと、上記Ｗｅｂページに表示するための情報を蓄積するデータベースと、上記Ｗｅｂページ上から上記データベースを検索する検索手段とを有し、上記データベースには、一定の地域全体の地図とこの地図の余白部に設けた地上距離の目盛り付き座標軸とからなる全域マップ部と、上記全域マップ部中の地図を複数のブロックに区画し該ブロック単位で拡大した拡大図とこの拡大図の余白部に設けられた地上距離の目盛り付き座標軸とからなる詳細マップ部と、上記全域マップ部の地図内に存在する施設ごとに、該施設の名称、該施設の所在地を上記座標軸の目盛り読取値からなる地上距離で示した所在地表示、その他の該施設に関する情報を１つにまとめた施設詳細情報とが蓄積され、上記検索手段は、上記全域マップ部中の地図内に存在する施設の名称または該施設の属するカテゴリーを検索条件として上記データベースを検索するとともに、その検索条件に該当する施設のリストを作成する機能を備え、上記複数のＷｅｂページは、全域マップ表示ページ、詳細マップ表示ページ、および詳細情報表示ページを含み、上記検索手段での検索の終了後に上記全域マップ表示ページに移行し、この全域マップ表示ページに、上記検索結果のリストと上記データベース内の全域マップ部とが表示されるとともに、この全域マップ部に、上記リスト中の施設の所在地が点滅するポイントで示され、上記全域マップ表示ページに表示された上記全域マップ部内の一ブロックがクリックされると、上記詳細マップ表示ページに移行し、この詳細マップ表示ページに、クリックされたブロックに対応する上記データベース内の詳細マップ部と上記検索結果のリストとが表示されるとともに、この詳細マップ部に、上記リスト中の施設の所在地が点滅するポイントで示され、上記全域マップ表示ページに上記検索結果のリストと上記全域マップ部と上記点滅するポイントが表示されるときに、そのリスト中の施設と、この施設の所在地を示す上記点滅するポイントの近傍とに、同一の番号が付され、上記詳細マップ表示ページに上記検索結果のリストと上記詳細マップ部と上記点滅するポイントが表示されるときに、そのリスト中の施設と、この施設の所在地を示す上記点滅するポイントの近傍とに、同一の番号が付されてなり、上記全域マップ表示ページまたは上記詳細マップ表示ページに表示された上記リストがクリックされると、上記詳細情報表示ページに移行し、この詳細情報表示ページに、そのリスト中の施設に対応する上記データベース内の施設詳細情報が表示されるとともに、この施設詳細情報の表示は、上記施設の名称に近接して該施設の上記所在地表示が表示される形態を採り、上記データベースに蓄積された施設が開設するＷｅｂページ内に同施設の住所の表示または“地図を見る”等の表示が設けられ、この住所の表示または“地図を見る”等の表示がクリックされると、その施設が開設するＷｅｂページから上記全域マップ表示ページまたは詳細マップ表示ページに直接移行するとともに、その全域マップ表示ページの全域マップ部または詳細マップ表示ページの詳細マップ部に、同施設の所在地が点滅するポイントで示されることを特徴とするものである。
【０００６】
本発明では、検索の終了後に全域マップ表示ページに移行し、この全域マップ表示ページに、検索結果のリストとデータベース内の全域マップ部とが表示されるとともに、この全域マップ部に、リスト中の施設の所在地がポイントで示されるから、一のページで検索結果のリストを見ると同時に、そのリスト中の施設の所在地をポイントで確認することができ、複数の施設の所在地を比較検討する場合に便利である。
【０００９】
本発明は、上記複数のＷｅｂページはＴＯＰページを含み、上記ＴＯＰページから上記全域マップ表示ページへの移行が可能に設けられてなり、上記ＴＯＰページから上記全域マップ表示ページに移行したとき、この全域マップ表示ページに、上記データベース内の全域マップ部とこの全域マップ部の地域内に存在する施設のリストとが表示されるとともに、この全域マップ部に、上記リスト中の施設の所在地が点滅するポイントで示され、上記全域マップ表示ページに表示されたリストがクリックされると、上記詳細情報表示ページに移行し、この詳細情報表示ページに、上記リスト中の施設に対応する上記データベース内の施設詳細情報が表示されることを特徴とするものである。
【００１０】
本発明は、上記全域マップ表示ページに表示された全域マップ部内の一ブロックがクリックされると、上記詳細マップ表示ページに移行し、この詳細マップ表示ページに、クリックされたブロックに対応する上記データベース内の詳細マップ部と、この詳細マップ部内に存在する施設のリストとが表示されるとともに、この詳細マップ部に、上記リスト中の施設の所在地が点滅するポイントで示され、上記詳細マップ表示ページに表示されたリストをクリックすると、上記詳細情報表示ページに移行し、かつ、この詳細情報表示ページに、上記リスト中の施設に対応する上記データベース内の施設詳細情報が表示されることを特徴とするものである。
【００１１】
本発明は、上記複数のＷｅｂページはＴＯＰページを含み、上記ＴＯＰページから上記詳細情報表示ページへの移行が可能に設けられてなり、上記ＴＯＰページから上記詳細情報表示ページへ移行したとき、この詳細情報表示ページに、上記データベース内の施設詳細情報が表示されることを特徴とするものである。
【００１２】
本発明は、上記詳細マップ表示ページから上記全域マップ表示ページへの移行が可能に設けられていることを特徴とするものである。
【００１３】
本発明は、上記詳細情報表示ページから上記全域マップ表示ページまたは上記詳細マップ表示ページへの移行が可能に設けられていることを特徴とするものである。
【００１５】
【発明の実施の形態】
以下、本発明に係るマップシステムの実施形態について図１ないし図４を基に詳細に説明する。
【００１６】
本実施形態のマップシステムは、図１に示したように、複数のＷｅｂページ１と、このＷｅｂページ１に表示するための情報を蓄積するデータベース２と、上記Ｗｅｂページ１上から上記データベース２を検索する検索手段３とから構成される。
【００１７】
データベース２には、Ｗｅｂページ１に表示するための情報として、図２に示したような全域マップ部４、詳細マップ部５、施設詳細情報６等が蓄積されている。
【００１８】
全域マップ部４は、一定の地域全体の地図７と、この地図７の余白部に設けた地上距離の目盛り付き座標軸８とにより構成されている。また、この全域マップ部４には、一定の間隔、具体的には上記座標軸８の目盛りで読むと１ｋｍ間隔ごとに、縦線９と横線１０が格子状に表示されており、このような格子状の縦横線９、１０により、この全域マップ部４中の地図７は複数のブロック１１に区画されている。したがって、区画された一ブロック１１は１ｋｍ×１ｋｍの領域を示している。
【００１９】
詳細マップ部５は、全域マップ部４の地図７を１ｋｍ×１ｋｍのブロック単位で拡大した拡大図１２と、この拡大図１２の余白部に設けた地上距離の目盛り付き座標軸８とにより構成されている。なお、全域マップ部４をｎ個のブロック１１に区画した場合、この詳細マップ部５はそのブロック１１と等しい数だけ存在する。
【００２０】
施設詳細情報６は、全域マップ部４の地図７内に存在する施設ごとに、該施設の名称、該施設の所在地を上記座標軸８の目盛り読取値で表示した所在地表示１３、その他の該施設に関する情報を１つにまとめてなるデータ構造となっている。
【００２１】
したがって、全域マップ部４の地図７内にｍ個の施設が存在し、このｍ個すべての施設を本実施形態のマップシステムで取り扱うものとすれば、データベース２に蓄積される施設詳細情報６は、その施設の数と同じくｍ個となる。
【００２２】
なお、上記施設詳細情報６の中の「他の該施設に関する情報」とは、たとえばその施設のデジタル写真画像、営業時間、定休日、バリアフリー対応の有無等の情報を含むものである。
【００２３】
検索手段３は、全域マップ部４中の地図７内に存在する施設の名称、または該施設の属するカテゴリー等を検索条件として、データベース２を検索する機能を有している。つまり、上記検索手段３は、施設の名称で検索することができるほか、その施設の属するカテゴリー、たとえば「宿」、「温泉」、「観光・公園」で検索する、いわゆるカテゴリー検索を実行することもできる。また、この検索手段３は、その検索結果として、検索条件に該当する施設のリスト１４を作成する機能も有している。
【００２４】
複数のＷｅｂページ１はＴＯＰページ１００、カテゴリー検索ページ１０１、全域マップ表示ページ１０２、詳細マップ表示ページ１０３、および詳細情報表示ページ１０４を含むページ構成となっており、ＴＯＰページ１００が最初に表示され、このＴＯＰページ１００から本マップシステムの利用が可能となる。
【００２５】
ＴＯＰページ１００には、検索条件入力欄１５と検索開始ボタン１６が設けられており、この検索条件入力欄１５に検索条件として施設の名称その他のキーワードを入力した後、検索開始ボタン１６をクリックすると、このＴＯＰページ１００上から検索手段３によるデータベース２の検索が実行される。
【００２６】
また、ＴＯＰページ１００には「宿」、「温泉」、「観光・公園」等という各種のカテゴリー表示３０があり、このカテゴリー表示３０はカテゴリー検索ページ１０１へ移行するためのハイパーリンクである。したがって、本実施形態のマップシステムにおいては、このカテゴリー表示３０をクリックすることにより、ＴＯＰページ１００からカテゴリー検索ページ１０１へ移行することができる。たとえば、「宿」というカテゴリー表示３０をクリックした場合は、ホテルや旅館等の宿を検索対象としたカテゴリー検索ページ１０１へ移行することができる。
【００２７】
なお、本実施形態の場合、カテゴリー検索ページ１０１にもＴＯＰページ１００と同じく検索条件入力欄１５と検索開始ボタン１６が設けられ、さらに、図示は省略するが、全域マップ表示ページ１０２および詳細マップ表示ページ１０３にも、ＴＯＰページ１００と同じく検索条件入力欄と検索開始ボタンが設けられている。
【００２８】
全域マップ表示ページ１０２には、データベース２内の全域マップ部４と検索結果のリスト１４とが一対の情報として表示される。また、詳細マップ表示ページ１０３には、データベース２内の該当する詳細マップ部５と検索結果のリスト１４とが一対の情報として表示され、詳細情報表示ページ１０４には、データベース２内の該当する施設詳細情報６が施設ごとに表示される。
【００２９】
全域マップ表示ページ１０２において、全域マップ部４とリスト１４をどのような位置関係で表示するかについては各種考えられるが、本実施形態では、全域マップ部４やリスト１４の見易さや利用上の便宜性等との関係から、全域マップ部４の上部中央に大きく「○×△全域ＭＡＰ」とマップ属性（種類）を表示し、その全域マップ部４の下部中央に大きく「検索結果」の文字を表示するとともに、この「検索結果」の下欄にリスト１４を配置表示するという表示位置構成を採用している。
【００３０】
詳細マップ表示ページ１０３において、詳細マップ部５とリスト１４をどのような位置関係で表示するかについては各種考えられるが、本実施形態では、全域マップ表示ページ１０２から詳細マップ表示ページ１０３へ移行したときの違和感をなくし利用上の便宜を図る等の観点から、上述した全域マップ部４とリスト１４の表示位置構成に則して、詳細マップ部５とリスト１４を配置している。
【００３１】
具体的には、本実施形態では、詳細マップ部５の拡大図１２は前述の通り全域マップ部４の地図７を１ｋｍ×１ｋｍのブロック単位で拡大したものであるから、この点を明確にするために、詳細マップ部５の上部中央に大きく「１キロＭＡＰ」と表示し、その詳細マップ部５の下部中央に大きく「検索結果」の文字を表示するとともに、この「検索結果」の下欄にリスト１４を配置表示するという表示位置構成を採用している。
【００３２】
また、本実施形態のマップシステムでは、検索結果のリスト１４中の施設が地図上でどの地点に存在するかを一目で理解できるようにする等、利用上の便宜を図る観点から、全域マップ表示ページ１０２に全域マップ部４と検索結果のリスト１４が表示されたときに、そのリスト１４中の施設の所在地が全域マップ部４内に○印のポイントＰで示され、かつ、この○印のポイントＰが点滅する構成を採用している。
【００３３】
なお、詳細マップ表示ページ１０３に詳細マップ部５と検索結果のリスト１４が表示されたときも、上記同様に、そのリスト１４中の施設の所在地が詳細マップ部５内に○印のポイントＰで示されるとともに、この○印のポイントＰが点滅する。
【００３４】
さらに、本実施形態のマップシステムにおいては、検索結果のリスト１４中の施設と、この施設の所在地を示す詳細マップ部５内の○印ポイントＰとに同じ番号を付すことにより、その番号でリスト１４中の施設の所在地を識別できる構成を採用している。たとえば、詳細マップ部５内の○印ポイントＰ付近に“１”が付されている場合、この“１”の○印ポイントＰは、検索結果のリスト１４中において“１”を付した施設の所在地であることを意味する。
【００３５】
（１）ＴＯＰページ上からカテゴリー検索を行った場合の例
図２に示したように、本実施形態のマップシステムにあっては、ＴＯＰページ１００に表示されているカテゴリー表示３０のうち、たとえば「宿」というカテゴリー表示３０をクリックすると、「宿」を検索対象としたカテゴリー検索ページ１０１へ移行する。
【００３６】
そして、上記「宿」のカテゴリー検索ページ１０１において、検索開始ボタン１６をクリックすると、「宿」に関するデータベース２の検索が行われる。検索開始ボタン１６をクリックする前に、予めカテゴリー検索ページ１０１の検索条件入力欄（図示省略）に検索条件を入力しておけば、この検索条件を含めてデータベース２の宿に関する検索が行われる。
【００３７】
上記のようなデータベース２の検索が終了すると、全域マップ表示ページ１０２に移行し、この全域マップ表示ページ１０２に、データベース２内の全域マップ部４と「宿」に関する検索結果のリスト１４が表示される。このとき、全域マップ部４にはリスト１４中の施設の所在地が点滅するポイントＰで示される。
【００３８】
上記の如く全域マップ表示ページ１０２に移行した段階において、この全域マップ表示ページ１０２に表示された全域マップ部４内の一ブロック１１をクリックすると、その次の段階として詳細マップ表示ページ１０３に移行し、この詳細マップ表示ページ１０３に、クリックされたブロック１１に対応するデータベース２内の詳細マップ部５と検索結果のリスト１４が表示される。このとき、詳細マップ部５にはリスト１４中の施設の所在地が点滅するポイントＰで示される。
【００３９】
上記のように詳細マップ表示ページ１０３に表示された検索結果のリスト１４をクリックすると、その次の段階として詳細情報表示ページ１０４に移行し、この詳細情報表示ページ１０４に、そのリスト１４中の施設に対応するデータベース２内の施設詳細情報６が表示される。
【００４０】
なお、上記のように全域マップ表示ページ１０２に表示された検索結果のリスト１４をクリックしたときも、同様に、詳細情報表示ページ１０４に移行し、この詳細情報表示ページ１０４に、そのリスト１４中の施設に対応するデータベース２内の施設詳細情報６が表示される。
【００４１】
詳細マップ表示ページ１０３には“戻る”という表示１８があり、この表示１８は全域マップ表示ページ１０２へ移行するためのハイパーリンクである。したがって、詳細マップ表示ページ１０３を見た後に、もう一度、全域マップ表示ページ１０２を見たい場合は、“戻る”の表示１８をクリックすればよく、そうすると、この詳細マップ表示ページ１０３から全域マップ表示ページ１０２へ戻ることができる。
【００４２】
上記のような「宿」のカテゴリー検索ページ１０１には、“詳細情報”という表示１９があり、この表示１９は詳細情報表示ページ１０４へ移行するためのハイパーリンクである。したがって、本実施形態のマップシステムにおいては、この“詳細情報”という表示１９をクリックすることにより、「宿」のカテゴリー検索ページ１０１から詳細情報表示ページ１０４に直接移行することができる。このようなページ移行ルートで詳細情報表示ページ１０４に移行した場合、この詳細情報表示ページ１０４には、カテゴリー「宿」に関するデータベース２内の施設詳細情報６がその施設ごとに表示される。
【００４３】
本マップシステムの利用者によっては、「宿」のカテゴリー検索ページ１０１に移行した後、全域マップ表示ページ１０２や詳細マップ表示ページ１０３を見るまでもなく、直ちに、宿の詳細情報だけを取得したいと考える場合もあるが、この場合は、「宿」のカテゴリー検索ページ１０１の“詳細情報”という表示１９をクリックすればよい。
【００４４】
なお、詳細情報表示ページ１０４には、“○×△全域ＭＡＰ”という表示２０と“１キロＭＡＰ”という表示２１があり、前者は詳細情報表示ページ１０４から全域マップ表示ページ１０２へ移行するためのハイパーリンク、後者は詳細情報表示ページ１０４から詳細マップ表示ページ１０３へ移行するためのハイパーリンクである。したがって、詳細情報表示ページ１０４を見た後に、もう一度、全域マップ表示ページ１０２を見たい場合には、“○×△全域ＭＡＰ”という表示をクリックすることにより、全域マップ表示ページ１０２へ戻ることができ、詳細マップ表示ページ１０３を見たい場合は、“１キロＭＡＰ”という表示２１をクリックすることにより、詳細マップ表示ページ１０３へ戻ることができる。
【００４５】
（２）ＴＯＰページから全域マップ表示ページに直接移行する例
図３に示したように、本実施形態のマップシステムにおいては、上記のようなＴＯＰページ１００上からの検索を行うことなく、このＴＯＰページ１００から全域マップ表示ページ１０２への移行が可能に構成されている。
【００４６】
すなわち、ＴＯＰページ１００には“マップ”という表示１７があり、この表示１７はＴＯＰページ１００から全域マップ表示ページ１０２へ直接移行するためのハイパーリンクである。したがって、本実施形態のマップシステムでは、ＴＯＰページ１００の“マップ”という表示をクリックすることにより、ＴＯＰページ１００から全域マップ表示ページ１０２に直接移行することができ、このようなページ移行ルートで全域マップ表示ページ１０２に移行したとき、この全域マップ表示ページ１０２には、データベース２内の全域マップ部４と、この全域マップ部４の地域内に存在する施設のリスト１４とが表示される。このときも上記と同様に、全域マップ部４にはリスト１４中の施設の所在地が点滅するポイントＰで示される。そして、この全域マップ表示ページ１０２に表示されたリスト１４をクリックすると、詳細情報表示ページ１０４に移行し、この詳細情報表示ページ１０４に、そのリスト１４中の施設に対応するデータベース２内の施設詳細情報６が表示される。
【００４７】
また、上記のようにＴＯＰページ１００から全域マップ表示ページ１０２へ直接移行した場合において、その全域マップ表示ページ１０２に表示された全域マップ部４内の一ブロック１１をクリックすると、詳細マップ表示ページ１０３に移行し、この詳細マップ表示ページ１０３に、そのクリックされたブロック１１に対応する上記データベース２内の詳細マップ部５と、この詳細マップ部５内に存在する施設のリスト１４が表示される。この場合も上記同様、詳細マップ部５にはリスト１４中の施設の所在地が点滅するポイントで示される。そして、この詳細マップ表示ページ１０３に表示されたリスト１４をクリックしたときも、詳細情報表示ページ１０４に移行し、かつ、この詳細情報表示ページ１０４に、そのリスト１４中の施設に対応する上記データベース２内の施設詳細情報６が表示される。
【００４８】
なお、上記のように全域マップ表示ページ１０２または詳細情報表示ページ１０３から詳細情報表示ページ１０４へ移行した後に、全域マップ表示ページ１０２または詳細マップ表示ページ１０３を見たい場合は、この詳細情報表示ページ１０４の“○×△全域ＭＡＰ”という表示２０または“１キロＭＡＰ”という表示２１をクリックすればよく、そうすると、この詳細情報表示ページ１０４から全域マップ表示ページ１０２または詳細マップ表示ページ１０３へ移行することができる。
【００４９】
（３）ＴＯＰページから詳細情報表示ページへ直接移行する例
図４に示したように、本実施形態のマップシステムにおいては、上記のようなＴＯＰページ１００上からの検索を行うことなく、このＴＯＰページ１００から詳細情報表示ページ１０４への移行が可能に構成されている。
【００５０】
すなわち、ＴＯＰページ１００には“詳細情報”という表示１９があり、この表示１９は詳細情報表示ページ１０４に移行するためのハイパーリンクである。したがって、本実施形態のマップシステムにおいては、ＴＯＰページ１００の“詳細情報”という表示１９をクリックすることにより、ＴＯＰページ１００から詳細情報表示ページ１０４へ直接移行することができ、このようなページ移行ルートで詳細情報表示ページ１０４へ移行したとき、この詳細情報表示ページ１０４には、データベース２内の施設詳細情報６がその施設ごとに表示される。
【００５１】
たとえば、「宿」というカテゴリーに属する旅館やホテル等についての施設詳細情報６がその施設ごとにデータベース２内に蓄積されている場合において、ＴＯＰページ１００から詳細情報表示ページ１０４へ直接移行すると、この詳細情報表示ページ１０４には、カテゴリー「宿」に属する全てのホテルや旅館等に関するデータベース２内の施設詳細情報６がその施設ごとに表示される。
【００５２】
なお、上記のようにＴＯＰページ１００から詳細情報表示ページ１０４へ直接移行した後、全域マップ表示ページ１０２または詳細マップ表示ページ１０３を見たい場合は、この詳細情報表示ページ１０４の“○×△全域ＭＡＰ”という表示２０または“１キロＭＡＰ”という表示２１をクリックすればよく、そうすると、この詳細情報表示ページ１０４から全域マップ表示ページ１０２または詳細マップ表示ページ１０３へ移行することができる。
【００５３】
（４）本マップシステムとの相互リンクの説明
本実施形態のマップシステムは各種施設のＷｅｂページ（ホームページ）と相互にリンクすることができる。たとえば、ホテルのＷｅｂページ内に同ホテルの住所の表示または“地図を見る”等の表示がある場合において、この住所の表示または“地図を見る”等の表示と本マップシステムの全域マップ表示ページ１０２または詳細マップ表示ページ１０３とをハイパーリンクで連結してもよい。この場合、そのホテルのＷｅｂページにおいて、同ホテルの住所の表示または“地図を見る”等の表示をクリックすると、本マップシステムの全域マップ表示ページ１０２または詳細マップ表示ページ１０３に移行するが、このとき、全域マップ表示ページ１０２の全域マップ部４または詳細マップ表示ページ１０３の詳細マップ部５に、同ホテルの所在地が点滅するポイントＰで表示されるように構成することができる。
【００５４】
【発明の効果】
本発明に係るマップシステムにあっては、上記の如く、検索の終了後に全域マップ表示ページに移行し、この全域マップ表示ページに、検索結果のリストと上記データベース内の全域マップ部とが表示されるとともに、この全域マップ部に、リスト中の施設の所在地がポイントで示される構成を採用したものである。このため、一のページで検索結果のリストを見ると同時に、そのリスト中の施設の所在地をポイントで確認することができ、複数の施設の所在地を比較検討する場合に便利である等、使い勝手のよいマップシステムを提供することができる。
【図面の簡単な説明】
【図１】本発明に係るマップシステムのシステム構成図。
【図２】図１に示したマップシステムにおいて、ＴＯＰページ上から検索を行った場合のページ移行例の説明図。
【図３】図１に示したマップシステムにおいて、ＴＯＰページから全域マップ表示ページに直接移行する例の説明図。
【図４】図１に示したマップシステムにおいて、ＴＯＰページから詳細情報表示ページへ直接移行する例の説明図。
【符号の説明】
１  Ｗｅｂページ
２  データベース
３  検索手段
４  全域マップ部
５  詳細マップ部
６  施設詳細情報
７  地図
８  地上距離の目盛り付き座標軸
９  地図の縦線
１０  地図の横線
１１  ブロック
１２  拡大図
１３  所在地表示
１４  リスト
１５  検索条件入力欄
１６  検索開始ボタン
１００  ＴＯＰページ
１０１  カテゴリー検索ページ
１０２  全域マップ表示ページ
１０３  詳細マップ表示ページ
１０４  詳細情報表示ページ
Ｐ  ポイント
【図１】
0003655862.tif 000002
【図２】
0003655862.tif 000003
【図３】
0003655862.tif 000004
【図４】
0003655862.tif 000005